(57)【要約】【課題】マークカードを用いた投票券の購入を促進すること。【解決手段】公営競技投票システム５は、投票端末１０とホストコンピュータ４０とを有する。投票端末１０は、Ｇ１〜Ｇ３の３個のグレードのうちの最高グレードの複数のＧ１レースであって、互いに開催日が異なる複数のＧ１レースの投票に共通に使用可能なマークカード（つまり、Ｇ１レース共通マークカード）が投票端末１０に投入された場合に、不完全データをホストコンピュータ４０へ送信する。ホストコンピュータ４０は、受信データに特別識別コードが含まれる場合に、Ｇ１レース共通マークカードによる投票日時以降の最も近い日に開催される予定のＧ１レースを選択し、選択したＧ１レースの開催日、選択したＧ１レースの開催場、選択したＧ１レースのレース番号、所定の式別、不完全データに含まれていた組番または馬番、及び、投票金額を含む投票データを投票端末１０へ送信する。【選択図】図１
2019079179.tif 000002
【特許請求の範囲】
【請求項１】
ホストコンピュータと、投票端末とを具備する公営競技投票システムであって、
前記投票端末は、複数のグレードのうちの最高グレードの複数の重賞レースであって、互いに開催日が異なる前記複数の重賞レースの投票に共通に使用可能な共通マークカードが前記投票端末に投入された場合に、前記投票端末に投入されたマークカードが前記共通マークカードであることを示す特別な識別コード、及び、組番または馬番を含む一方で、レースの開催日、レースの開催場、レース番号、及び、式別を含まないデータを前記ホストコンピュータへ送信し、
前記ホストコンピュータは、受信データに前記特別な識別コードが含まれる場合に、前記共通マークカードによる投票日時以降の最も近い日に開催される予定の最高グレードの重賞レースを選択し、選択した前記重賞レースの開催日、選択した前記重賞レースの開催場、選択した前記重賞レースのレース番号、所定の式別、前記組番または前記馬番、及び、投票金額を含む投票データを前記投票端末へ送信する、
公営競技投票システム。
【請求項２】
公営競技投票システムに用いられる投票端末であって、
複数のグレードのうちの最高グレードの複数の重賞レースであって、互いに開催日が異なる前記複数の重賞レースの投票に共通に使用可能な共通マークカードが前記投票端末に投入されたか否かを判断する判断部と、
前記共通マークカードが前記投票端末に投入された場合に、前記投票端末に投入されたマークカードが前記共通マークカードであることを示す特別な識別コード、及び、組番または馬番を含む一方で、レースの開催日、レースの開催場、レース番号、及び、式別を含まないデータをホストコンピュータへ送信する通信部と、
を具備する投票端末。
【請求項３】
公営競技投票システムに用いられるホストコンピュータであって、
投票端末からの受信データに、前記投票端末に投入されたマークカードが、複数のグレードのうちの最高グレードの複数の重賞レースであって、互いに開催日が異なる前記複数の重賞レースの投票に共通に使用可能な共通マークカードであることを示す特別な識別コードが含まれるか否かを判断する判断部と、
前記受信データに前記特別な識別コードが含まれる場合に、前記共通マークカードによる投票日時以降の最も近い日に開催される予定の最高グレードの重賞レースを選択し、選択した前記重賞レースの開催日、選択した前記重賞レースの開催場、選択した前記重賞レースのレース番号、所定の式別、投票金額、及び、前記受信データに含まれていた組番または馬番を含む投票データを前記投票端末へ送信する通信部と、
を具備するホストコンピュータ。
【請求項４】
公営競技投票システムの投票端末が、複数のグレードのうちの最高グレードの複数の重賞レースであって、互いに開催日が異なる前記複数の重賞レースの投票に共通に使用可能な共通マークカードが前記投票端末に投入された場合に、前記投票端末に投入されたマークカードが前記共通マークカードであることを示す特別な識別コード、及び、組番または馬番を含む一方で、レースの開催日、レースの開催場、レース番号、及び、式別を含まないデータを、前記公営競技投票システムのホストコンピュータへ送信し、
前記ホストコンピュータが、受信データに前記特別な識別コードが含まれる場合に、前記共通マークカードによる投票日時以降の最も近い日に開催される予定の最高グレードの重賞レースを選択し、選択した前記重賞レースの開催日、選択した前記重賞レースの開催場、選択した前記重賞レースのレース番号、所定の式別、前記組番または前記馬番、及び、投票金額を含む投票データを前記投票端末へ送信する、
重賞レース投票方法。
【発明の詳細な説明】
【技術分野】
【０００１】
本発明は、公営競技投票システム、投票端末、ホストコンピュータ及び重賞レース投票方法に関する。
【背景技術】
【０００２】
競馬、競輪、競艇及びオートレース等の公営競技の投票券（以下では単に「投票券」と呼ぶことがある）を購入するための投票カード（以下では単に「投票カード」と呼ぶことがある）の一つに、マーク式の投票カード（以下では「マークカード」と呼ぶことがある）がある。マークカードを用いて投票券を購入する者（以下では「投票券購入者」と呼ぶことがある）は、マークカードにマークを印すことにより投票内容を指定する。
【先行技術文献】
【特許文献】
【０００３】
【特許文献１】特開２００８−０３３５３９号公報
【発明の概要】
【発明が解決しようとする課題】
【０００４】
しかしながら、マークカードにはそれぞれ帳票フォーマットが異なる（つまり、券種が異なる）様々なものが存在し、帳票フォーマットに応じて、マークカードの記入方法も異なる。また、マークカードを用いて投票券を購入する際には、投票券購入者は、レースの開催日、レースの開催場、レース番号、式別、組番、及び、投票金額に応じた多くのマークをマークカードに記さなければならない。このため、投票券購入者がビギナーである場合は、マークカードにマークを正確に印すことに不安を感じ、マークカードを用いた投票券の購入を躊躇してしまうことがある。
【０００５】
開示の技術は、上記に鑑みてなされたものであって、マークカードを用いた投票券の購入を促進することを目的とする。
【課題を解決するための手段】
【０００６】
開示の態様では、公営競技投票システムは、ホストコンピュータと投票端末とを有する。前記投票端末は、複数のグレードのうちの最高グレードの複数の重賞レースであって、互いに開催日が異なる前記複数の重賞レースの投票に共通に使用可能な共通マークカードが前記投票端末に投入された場合に、前記投票端末に投入されたマークカードが前記共通マークカードであることを示す特別な識別コード、及び、組番または馬番を含む一方で、レースの開催日、レースの開催場、レース番号、及び、式別を含まないデータを前記ホストコンピュータへ送信する。前記ホストコンピュータは、受信データに前記特別な識別コードが含まれる場合に、前記共通マークカードによる投票日時以降の最も近い日に開催される予定の最高グレードの重賞レースを選択し、選択した前記重賞レースの開催日、選択した前記重賞レースの開催場、選択した前記重賞レースのレース番号、所定の式別、前記組番または前記馬番、及び、投票金額を含む投票データを前記投票端末へ送信する。
【発明の効果】
【０００７】
開示の態様によれば、マークカードを用いた投票券の購入を促進することができる。
【図面の簡単な説明】
【０００８】
【図１】図１は、実施例１の公営競技投票システムの構成例を示す図である。
【図２】図２は、実施例１の投票端末の外観の一例を示す図である。
【図３】図３は、実施例１の投票端末の構成例を示す図である。
【図４】図４は、実施例１のホストコンピュータの構成例を示す図である。
【図５】図５は、実施例１の公営競技投票システムの処理の説明に供するフローチャートである。
【図６】図６は、実施例１の照合部の動作の説明に供する図である。
【図７】図７は、実施例１の照合部の動作の説明に供する図である。
【図８】図８は、実施例１の照合部の動作の説明に供する図である。
【図９】図９は、実施例１のＧ１レース共通マークカードの一例を示す図である。
【図１０】図１０は、実施例１の特別識別コードの一例を示す図である。
【図１１】図１１は、実施例１の公営競技投票システムの動作の説明に供する図である。
【図１２】図１２は、実施例１の公営競技投票システムの動作の説明に供する図である。
【図１３】図１３は、実施例１の投票券の印刷例を示す図である。
【図１４】図１４は、実施例１の投票券の印刷例を示す図である。
【図１５】図１５は、実施例３の投票端末のハードウェア構成例を示す図である。
【図１６】図１６は、実施例３のホストコンピュータのハードウェア構成例を示す図である。
【発明を実施するための形態】
【０００９】
以下に、本願の開示する公営競技投票システム、投票端末、ホストコンピュータ及び重賞レース投票方法を図面に基づいて説明する。なお、この実施例により本願の開示する公営競技投票システム、投票端末、ホストコンピュータ及び重賞レース投票方法が限定されるものではない。また、各実施例において同一の機能を有する構成、及び、同一の処理を行うステップには同一の符号を付す。
【００１０】
［実施例１］
＜公営競技投票システムの構成＞
図１は、実施例１の公営競技投票システムの構成例を示す図である。図１において、公営競技投票システム５は、投票端末１０−１〜１０−３と、ホストコンピュータ４０とを有する。以下では、投票端末１０−１〜１０−３を区別しない場合には「投票端末１０」と総称することがある。投票端末１０とホストコンピュータ４０とは、ネットワーク３０を介して接続されており、相互に通信可能である。このように、ホストコンピュータ４０及び投票端末１０は、公営競技投票システム５に用いられるものである。図１では３台の投票端末１０を一例として挙げているが、ホストコンピュータ４０に接続可能な投票端末１０の台数は３台に限定されない。また、以下では、公営競技の一例として競馬を挙げて説明するが、開示の技術が適用可能な公営競技は競馬に限定されない。
【００１１】
＜投票端末の外観＞
図２は、実施例１の投票端末の外観の一例を示す図である。図２において、投票端末１０は、運用状況表示窓１０１と、投票券投入口１０２と、投票券排出口１０３と、マークカード投入排出口１０４と、紙幣投入排出口１０５と、硬貨投入口１０６と、硬貨排出口１０７と、タッチパネル１０８とを有する。
【００１２】
運用状況表示窓１０１は、投票端末１０において投票券の発券受付中であるか発券停止中であるかを表示する。また、運用状況表示窓１０１は、投票端末１０において的中券の払戻受付中であるか払戻停止中であるかを表示する。
【００１３】
投票券投入口１０２には、当たりか外れかが確定している投票券が投入される。
【００１４】
投票券排出口１０３は、購入された投票券を排出する。
【００１５】
マークカード投入排出口１０４は、マークカードを投入される一方で、返却されるマークカードを排出する。
【００１６】
紙幣投入排出口１０５は、紙幣を投入される一方で、返却される紙幣または釣銭とされる紙幣を排出する。
【００１７】
硬貨投入口１０６は、硬貨を投入される。
【００１８】
硬貨排出口１０７は、返却される硬貨または釣銭とされる硬貨を排出する。
【００１９】
タッチパネル１０８は、操作案内、レース案内、及び、マークカードによる投票内容等の各種の画面を表示し、各種の入力や投票内容の修正等の際にタッチ操作される。
【００２０】
なお、投票端末１０において、投票券投入口１０２と投票券排出口１０３とを一体構成としても良い。また、硬貨投入口１０６と硬貨排出口１０７とを一体構成としても良い。また、マークカード投入排出口１０４を、マークカード投入口とマークカード排出口とのように、別体構成としても良い。また、紙幣投入排出口１０５を、紙幣投入口と紙幣排出口とのように、別体構成としても良い。
【００２１】
＜投票端末の構成＞
図３は、実施例１の投票端末の構成例を示す図である。図３において、投票端末１０は、マークカード投入排出口１０４と、マークカード搬送部２０１と、マークカード読取部２０２と、記憶部２０３と、識別コード判断部２０４と、データ生成部２０５と、制御部２０６と、通信部２０７と、投票券発行部２０８と、投票券排出口１０３とを有する。以下では、重賞レースに対してＧ１，Ｇ２，Ｇ３の３個のグレードの何れかが付与されている場合を一例に挙げて説明する。Ｇ１，Ｇ２，Ｇ３の３個のグレードにおいて、Ｇ１が最高グレード、Ｇ３が最低グレード、Ｇ２がＧ１とＧ３との間の中間グレードである。また以下では、Ｇ１が付与されたレースを「Ｇ１レース」、Ｇ２が付与されたレースを「Ｇ２レース」、Ｇ３が付与されたレースを「Ｇ３レース」と呼ぶことがある。
【００２２】
マークカード搬送部２０１は、マークカード投入排出口１０４に投入されたマークカードを投票端末１０内で搬送する。また、マークカード搬送部２０１は、マークカード投入排出口１０４にマークカードが投入された日時、つまり、マークカードによる投票日時を示すタイムスタンプ（以下では「投票日時タイムスタンプ」と呼ぶことがある）をデータ生成部２０５へ出力する。
【００２３】
マークカード読取部２０２は、マークカードの搬送に伴ってマークカードの表面を読み取って、マークカード全体の画像イメージ（以下では「マークカードイメージ」と呼ぶことがある）を取得し、取得したマークカードイメージを記憶部２０３へ出力して記憶部２０３に記憶させる。また、マークカード読取部２０２は、マークカードイメージの取得が完了した時点で、マークカードイメージの取得が完了したことを示す通知（以下では「イメージ取得完了通知」と呼ぶことがある）を識別コード判断部２０４へ出力する。
【００２４】
識別コード判断部２０４は、マークカード読取部２０２からイメージ取得完了通知が入力されると、記憶部２０３からマークカードイメージを取得する。識別コード判断部２０４は、記憶部２０３から取得したマークカードイメージにおいて、マークカードの長手方向の両端に予め印刷されている「識別コード」を認識する。そして、識別コード判断部２０４は、認識した識別コードに基づいて、マークカード投入排出口１０４に投入されたマークカードが、Ｇ１〜Ｇ３の３個のグレードのうちの最高グレードであるＧ１が付与された複数の重賞レース（つまり、複数のＧ１レース）であって、互いに開催日が異なる複数のＧ１レースの投票に共通に使用可能なマークカード（以下では「Ｇ１レース共通マークカード」と呼ぶことがある）であるか否かを判断し、判断結果をデータ生成部２０５へ出力する。Ｇ１レース共通マークカードの長手方向の両端には、当該マークカードがＧ１レース共通マークカードであることを示す特別な識別コード（以下では「特別識別コード」と呼ぶことがある）が予め印刷されている。一方で、Ｇ１レース共通マークカード以外の普通のマークカード（以下では「普通マークカード」と呼ぶことがある）の長手方向の両端には、当該マークカードが普通マークカードであることを示す識別コード（以下では「普通識別コード」と呼ぶことがある）が予め印刷されている。
【００２５】
データ生成部２０５は、識別コード判断部２０４から判断結果が入力されると、記憶部２０３からマークカードイメージを取得する。そして、データ生成部２０５は、識別コード判断部２０４での判断結果に従って、ホストコンピュータ４０へ送信されるデータを生成する。データ生成部２０５は、マークカード投入排出口１０４に投入されたマークカードがＧ１レース共通マークカードではない（つまり、普通マークカードである）と識別コード判断部２０４によって判断された場合は、記憶部２０３から取得したマークカードイメージに基づいて、普通識別コード、投票日時タイムスタンプ、レースの開催日、レースの開催場、レース番号、組番または馬番、式別及び投票金額を含むデータ（以下では「完全データ」と呼ぶことがある）を生成し、生成した完全データを制御部２０６へ出力する。一方で、データ生成部２０５は、マークカード投入排出口１０４に投入されたマークカードがＧ１レース共通マークカードであると識別コード判断部２０４によって判断された場合は、記憶部２０３から取得したマークカードイメージに基づいて、特別識別コード、投票日時タイムスタンプ、組番または馬番、及び、投票金額を含む一方で、レースの開催日、レースの開催場、レース番号及び式別を含まないデータ（以下では「不完全データ」と呼ぶことがある）を生成し、生成した不完全データを制御部２０６へ出力する。
【００２６】
制御部２０６は、データ生成部２０５から入力された完全データまたは不完全データを通信部２０７へ出力し、通信部２０７は、完全データまたは不完全データをネットワーク３０を介してホストコンピュータ４０へ送信する。
【００２７】
また、通信部２０７は、ホストコンピュータ４０から送信された照合結果及び投票データをネットワーク３０を介して受信し、受信した照合結果及び投票データを制御部２０６へ出力する。
【００２８】
制御部２０６は、照合結果が「ＮＧ」の場合は、マークカード投入排出口１０４に投入されたマークカードをそのままマークカード投入排出口１０４から返却するようにマークカード搬送部２０１を制御する。一方で、制御部２０６は、照合結果が「ＯＫ」の場合は、マークカード投入排出口１０４に投入されたマークカードを投票端末１０内に回収するようにマークカード搬送部２０１を制御するとともに、ホストコンピュータ４０から受信された投票データを投票券発行部２０８へ出力する。
【００２９】
制御部２０６から投票データを入力された投票券発行部２０８は、その投票データに基づいて、投票内容が印刷された投票券を作成し、作成した投票券を投票券排出口１０３から排出させる。
【００３０】
＜ホストコンピュータの構成＞
図４は、実施例１のホストコンピュータの構成例を示す図である。図４において、ホストコンピュータ４０は、通信部４０１と、制御部４０２と、識別コード判断部４０３と、Ｇ１レース選択部４０４と、照合部４０５と、記憶部４０６とを有する。
【００３１】
通信部４０１は、投票端末１０から送信された完全データまたは不完全データをネットワーク３０を介して受信し、受信した完全データまたは不完全データを制御部４０２へ出力する。また、通信部４０１は、制御部４０２から入力される照合結果及び投票データをネットワーク３０を介して投票端末１０へ送信する。
【００３２】
制御部４０２は、通信部４０１から入力される完全データまたは不完全データを識別コード判断部４０３へ出力する。また、制御部４０２は、照合部４０５から入力される照合結果及び投票データを通信部４０１へ出力する。
【００３３】
識別コード判断部４０３は、制御部４０２から入力されるデータに含まれる識別コードが特別識別コードまたは普通識別コードの何れであるか、つまり、投票端末１０に投入されたマークカードがＧ１レース共通マークカードまたは普通マークカードの何れであるかを判断する。つまり、識別コード判断部４０３は、制御部４０２から入力されるデータに特別識別コードが含まれるか否かを判断する。制御部４０２から入力されるデータが不完全データである場合は、制御部４０２から入力されるデータには特別識別コードが含まれ、制御部４０２から入力されるデータが完全データである場合は、制御部４０２から入力されるデータには普通識別コードが含まれる一方で特別識別コードは含まれない。識別コード判断部４０３は、制御部４０２から入力されるデータに特別識別コードが含まれるか否かを判断した後、判断結果をＧ１レース選択部４０４及び照合部４０５へ出力するとともに、制御部４０２から入力されたデータ（完全データまたは不完全データ）を照合部４０５へ出力する。つまり、制御部４０２から識別コード判断部４０３へ入力されたデータが完全データであった場合は、制御部４０２から入力されるデータに含まれている識別コードが特別識別コードではないという判断結果（以下では「否定判断結果」と呼ぶことがある）がＧ１レース選択部４０４及び照合部４０５へ出力されるとともに、完全データがＧ１レース選択部４０４及び照合部４０５へ出力される。一方で、制御部４０２から識別コード判断部４０３へ入力されたデータが不完全データであった場合は、制御部４０２から入力されるデータに含まれている識別コードが特別識別コードであるという判断結果（以下では「肯定判断結果」と呼ぶことがある）がＧ１レース選択部４０４及び照合部４０５へ出力されるとともに、不完全データがＧ１レース選択部４０４及び照合部４０５へ出力される。
【００３４】
記憶部４０６には、重賞レースも含め、投票〆切り前のすべてのレースの情報（レースの開催日、レースの開催場、レース番号、組番、馬番、出走馬名等）が記憶されている。Ｇ１レース選択部４０４は、識別コード判断部４０３から肯定判断結果を入力された場合（つまり、通信部４０１で受信されたデータに特別識別コードが含まれる場合）は、不完全データから投票日時タイムスタンプを抽出し、抽出した投票日時タイムスタンプに基づいて、記憶部４０６に記憶されている投票〆切り前の全レースの中から、Ｇ１レース共通マークカードによる投票日時以降の最も近い日を開催日に持つＧ１レースを選択する。そして、Ｇ１レース選択部４０４は、選択したＧ１レースの開催日、選択したＧ１レースの開催場、選択したＧ１レースのレース番号を記憶部４０６から取得して照合部４０５へ出力する。一方で、Ｇ１レース選択部４０４は、識別コード判断部４０３から否定判断結果を入力された場合（つまり、通信部４０１で受信されたデータに特別識別コードが含まれておらず、普通識別コードが含まれる場合）は、Ｇ１レースの選択を行わない。
【００３５】
照合部４０５は、識別コード判断部４０３から肯定判断結果を入力された場合は、Ｇ１レース選択部４０４で選択されたＧ１レースの開催日、開催場及びレース番号と、不完全データに含まれていた組番または馬番及び投票金額と、所定の式別とを含む投票データを生成する。一方で、照合部４０５は、識別コード判断部４０３から否定判断結果を入力された場合は、識別コード判断部４０３から入力された完全データに含まれるレースの開催日、開催場、レース番号、組番または馬番、式別、及び、投票金額を含む投票データを生成する。そして、照合部４０５は、生成した投票データと記憶部４０６に記憶されているレースの運用情報とを照合し、照合結果を投票データとともに制御部４０２へ出力する。照合部４０５は、生成した投票データと記憶部４０６に記憶されているレースの運用情報との照合により、例えば、投票データに含まれる開催日、開催場、レース番号、組番または馬番、及び、式別に対応する情報が記憶部４０６に存在するか否かを確認することで、投票データが有効か無効かを判断し、投票データが有効な場合は照合結果を「ＯＫ」とする一方で、投票データが無効な場合は照合結果を「ＮＧ」とする。
【００３６】
＜公営競技投票システムの処理＞
図５は、実施例１の公営競技投票システムの処理の説明に供するフローチャートである。
【００３７】
図５において、投票端末１０のマークカード搬送部２０１は、マークカード投入排出口１０４にマークカードが投入されるまで待機する（ステップＳ５０１：Ｎｏ）。
【００３８】
マークカード投入排出口１０４にマークカードが投入されると（ステップＳ５０１：Ｙｅｓ）、マークカード読取部２０２は、マークカードの搬送に伴ってマークカードの両面を読み取ってマークカードイメージを取得する（ステップＳ５０３）。
【００３９】
次いで、識別コード判断部２０４は、マークカード投入排出口１０４に投入されたマークカードがＧ１レース共通マークカードであるか否かを判断する（ステップＳ５０５）。
【００４０】
マークカード投入排出口１０４に投入されたマークカードがＧ１レース共通マークカードである場合は（ステップＳ５０５：Ｙｅｓ）、データ生成部２０５は不完全データを生成し（ステップＳ５０７）、通信部２０７は不完全データをホストコンピュータ４０へ送信する（ステップＳ５０９）。
【００４１】
一方で、マークカード投入排出口１０４に投入されたマークカードがＧ１レース共通マークカードでない場合（つまり、普通マークカードである場合）は（ステップＳ５０５：Ｎｏ）、データ生成部２０５は完全データを生成し（ステップＳ５１１）、通信部２０７は完全データをホストコンピュータ４０へ送信する（ステップＳ５１３）。
【００４２】
次いで、ホストコンピュータ４０の識別コード判断部４０３は、制御部４０２から入力されるデータに含まれる識別コードに基づいて、投票端末１０に投入されたマークカードがＧ１レース共通マークカードまたは普通マークカードの何れであるかを判断する（ステップＳ５１５）。
【００４３】
投票端末１０に投入されたマークカードがＧ１レース共通マークカードである場合は（ステップＳ５１５：Ｙｅｓ）、Ｇ１レース選択部４０４によるＧ１レースの選択により、照合部４０５は、不完全データに含まれていた組番または馬番、及び、投票金額に、Ｇ１レース選択部４０４で選択されたＧ１レースの開催日、開催場及びレース番号と、所定の式別とを補充して投票データを生成する（ステップＳ５１７）。一方で、投票端末１０に投入されたマークカードがＧ１レース共通マークカードでない場合は（ステップＳ５１５：Ｎｏ）、完全データの内容がそのまま投票データとなる。
【００４４】
次いで、照合部４０５は、投票データと記憶部４０６に記憶されているレースの運用情報とを照合する（ステップＳ５１９）。
【００４５】
次いで、通信部４０１は、照合部４０５での照合結果を投票データとともに投票端末１０へ送信する（ステップＳ５２１）。
【００４６】
照合結果を受信した投票端末１０では、照合結果が「ＯＫ」の場合は（ステップＳ５２３：Ｙｅｓ）、投票端末１０に投入されたマークカードが投票端末１０内に回収されるとともに、投票内容が印刷された投票券が発行される（ステップＳ５２５）。一方で、照合結果が「ＮＧ」の場合は（ステップＳ５２３：Ｎｏ）、投票端末１０に投入されたマークカードが返却される（ステップＳ５２７）。
【００４７】
＜照合部の動作＞
図６〜８は、実施例１の照合部の動作の説明に供する図である。
【００４８】
図６に示すように、一週の中で連続する曜日のレース開催日を合わせたものを「節」という。また、図７に示すように、一年を通じて、同一の開催場（例えば、Ａ場）で、最初に連続して開催される日（例えば、最初に連続して開催される複数の土曜日及び日曜日）を合わせたものを「１回」、次に連続して開催される日（例えば、次に連続して開催される複数の土曜日及び日曜日）を合わせたものを「２回」という。また、各回の中で、開催日を順に数えたものを「１日」，「２日」，「３日」…という。よって、例えば、図７に示すように、Ａ場で２０１７年の一年間において、１〜４月、６〜９月、１１〜１２月にはレースが開催されず、５月及び１０月の１週目〜４週目の土曜日及び日曜日に渡ってレースが開催される場合は、５月及び１０月の１週目〜４週目がそれぞれ第１節〜第４節に該当する。また、５月において、１週目の土曜日が「１回１日」に、１週目の日曜日が「１回２日」に、２週目の土曜日が「１回３日」に、２週目の日曜日が「１回４日」に、３週目の土曜日が「１回５日」に、３週目の日曜日が「１回６日」に、４週目の土曜日が「１回７日」に、４週目の日曜日が「１回８日」に該当する。また、１０月において、１週目の土曜日が「２回１日」に、１週目の日曜日が「２回２日」に、２週目の土曜日が「２回３日」に、２週目の日曜日が「２回４日」に、３週目の土曜日が「２回５日」に、３週目の日曜日が「２回６日」に、４週目の土曜日が「２回７日」に、４週目の日曜日が「２回８日」に該当する。
【００４９】
そして、現在は、Ｇ１レースは一つの節において最大で１回しか開催されず、一つの節において複数のＧ１レースが開催されることはない。また、Ｇ１レースが開催されない節もある。また、現在は、Ｇ１レースは、一つの節において一つの場でしか開催されず、一つの節において複数の場で開催されることはない。例えば、図８に示すように、２０１７年では一年間で２４レースのＧ１レースが開催される。図８に示すＧ１レースの情報は予めホストコンピュータ４０の記憶部４０６に記憶されている。
【００５０】
そこで、ホストコンピュータ４０の照合部４０５は、投票日時タイムスタンプにより示される投票日時が、Ｇ１レースが開催されない節に該当する場合は、投票データが無効であると判断し、照合結果を「ＮＧ」とする。
【００５１】
＜Ｇ１レース共通マークカードの一例＞
図９は、実施例１のＧ１レース共通マークカードの一例を示す図である。図９に示すように、Ｇ１レース共通マークカードは、特別識別コードＩＣ１，ＩＣ２、及び、タイミングマークＴＭ１を有する。タイミングマークＴＭ１において、左端のタイミングマークＴＭＡは特別識別コードＩＣ１の位置を示し、右端のタイミングマークＴＭＢは特別識別コードＩＣ２の位置を示す。特別識別コードＩＣ１は、Ｇ１レース共通マークカードの左辺に沿って配置され、特別識別コードＩＣ２は、Ｇ１レース共通マークカードの右辺に沿って配置される。
【００５２】
図１０は、実施例１の特別識別コードの一例を示す図である。図１０に示すように、Ｇ１レース共通マークカードにおいて、特別識別コードＩＣ１，ＩＣ２はそれぞれ「４ビット×３」の１２ビットで形成され、特別識別コードの値は４ビットずつの３つの１６進数で表現される。よって例えば、特別識別コードＩＣ１，ＩＣ２が図１０に示すように印刷されている場合は、特別識別コードＩＣ１，ＩＣ２の値は、図１０に示すように、共に「１１２」となる。よって、「１１２」の識別コードはＧ１レース共通マークカードに付与された特別な識別コードであり、識別コードが「１１２」であるマークカードは、Ｇ１レース共通マークカードであると認識される。
【００５３】
＜公営競技投票システムの動作＞
図１１及び図１２は、実施例１の公営競技投票システムの動作の説明に供する図である。図１１には、データ生成部２０５が生成する不完全データの一例を示し、図１２には、照合部４０５が不完全データから生成する投票データの一例を示す。なお、図１２における「投票日」及び「投票時刻」は、投票日時タイムスタンプにより示される投票日時に相当する。
【００５４】
図１１に示すように、例えば、受付番号「１」、投票日「２０１７年４月１日」、投票時刻「１２：００」、組番「１」、投票金額「５００円」の不完全データに対しては、投票〆切り前の全レースの中から、２０１７年４月１日１２：００以降の最も近い日を開催日に持つＧ１レース（つまり、２０１７年４月１日１２：００以降の最も近い日に開催される予定のＧ１レース）が選択される。そして、図１２に示すように、選択されたＧ１レースの開催日「２０１７年４月１日」、選択されたＧ１レースの開催場「Ａ」、選択されたＧ１レースのレース番号「１１」、及び、所定の式別「単勝」が不完全データに補充されて投票データが生成される。受付番号「２」及び「３」の不完全データに対しても、同様にして、選択されたＧ１レースの開催日、選択されたＧ１レースの開催場、選択されたＧ１レースのレース番号、及び、所定の式別が補充されて投票データが生成される。
【００５５】
＜投票券の印刷例＞
図１３及び図１４は、実施例１の投票券の印刷例を示す図である。Ｇ１レース共通マークカードを用いて購入された投票券には、投票券発行部２０８が、例えば、図１３に示すように、ホストコンピュータ４０によって選択されたＧ１レースのレース名５１や、図１４に示すように、競馬のキャラクターの絵柄５２を印刷しても良い。
【００５６】
以上のように、実施例１では、公営競技投票システム５は、投票端末１０とホストコンピュータ４０とを有する。投票端末１０は、Ｇ１〜Ｇ３の３個のグレードのうちの最高グレードの複数のＧ１レースであって、互いに開催日が異なる複数のＧ１レースの投票に共通に使用可能なマークカード（つまり、Ｇ１レース共通マークカード）が投票端末１０に投入された場合に、不完全データをホストコンピュータ４０へ送信する。ホストコンピュータ４０は、受信データに特別識別コードが含まれる場合に、Ｇ１レース共通マークカードによる投票日時以降の最も近い日に開催される予定のＧ１レースを選択し、選択したＧ１レースの開催日、選択したＧ１レースの開催場、選択したＧ１レースのレース番号、所定の式別、不完全データに含まれていた組番または馬番、及び、投票金額を含む投票データを投票端末１０へ送信する。
【００５７】
こうすることで、投票券購入者は、マークカードにおいて、レースの開催日、レースの開催場、レース番号、及び、式別を指定することなくＧ１レースの投票券を購入することができるため、投票券購入者がビギナーである場合でも、躊躇なくマークカードを用いてＧ１レースの投票券を購入することができる。よって、マークカードを用いた投票券の購入を促進することができる。
【００５８】
また、実施例１では、複数のＧ１レースの各々に対して個別に専用のマークカードを用意するのではなく、複数のＧ１レースの投票に共通に使用可能なマークカード（つまり、Ｇ１レース共通マークカード）を用意するため、Ｇ１レース投票用のマークカードの製作コストを抑えることができる。
【００５９】
［実施例２］
実施例１では、Ｇ１レース共通マークカードを用いて投票券を購入する者が自分で任意の投票金額を決めるケースについて説明した。これに対し、投票金額のマーク欄をＧ１レース共通マークカードから省いてＧ１レース共通マークカードにおいて投票金額の指定を不可にして、１枚のＧ１レース共通マークカードについて所定の金額（例えば、５００円）しか投票できないようにしても良い。このように、投票金額のマーク欄がＧ１レース共通マークカードから省かれる場合は、不完全データには投票金額は含まれず、ホストコンピュータ４０の照合部４０５によって、所定の投票金額が不完全データに補充される。
【００６０】
［実施例３］
＜投票端末のハードウェア構成＞
投票端末１０は、例えば、次のようなハードウェア構成により実現することができる。図１５は、実施例３の投票端末のハードウェア構成例を示す図である。図１５において、投票端末１０は、ハードウェアの構成要素として、プロセッサ１０ａと、メモリ１０ｂと、ディスクドライブ１０ｃと、印刷機構１０ｄと、搬送機構１０ｅと、ラインセンサ等のイメージセンサ１０ｆと、ネットワークインタフェースモジュール１０ｇとを有する。プロセッサ１０ａの一例として、ＣＰＵ（Central  Processing  Unit）、ＤＳＰ（Digital  Signal  Processor）、ＦＰＧＡ（Field  Programmable  Gate  Array）等が挙げられる。メモリ１０ｂの一例として、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００６１】
マークカード搬送部２０１は、例えば搬送機構１０ｅによって実現される。マークカード読取部２０２は、例えば、イメージセンサ１０ｆによって実現される。記憶部２０３は、例えばメモリ１０ｂまたはディスクドライブ１０ｃによって実現される。識別コード判断部２０４、データ生成部２０５及び制御部２０６は、例えばプロセッサ１０ａによって実現される。投票券発行部２０８は、例えば印刷機構１０ｄによって実現される。通信部２０７は、例えばネットワークインタフェースモジュール１０ｇによって実現される。
【００６２】
また、投票端末１０の上記説明における各処理は、各処理に対応するプログラムをプロセッサ１０ａに実行させることによって実現しても良い。例えば、上記説明における各処理に対応するプログラムがメモリ１０ｂまたはディスクドライブ１０ｃに記憶され、プログラムがプロセッサ１０ａによってメモリ１０ｂまたはディスクドライブ１０ｃから読み出されて実行されても良い。
【００６３】
＜ホストコンピュータのハードウェア構成＞
ホストコンピュータ４０は、例えば、次のようなハードウェア構成により実現することができる。図１６は、実施例３のホストコンピュータのハードウェア構成例を示す図である。図１６において、ホストコンピュータ４０は、ハードウェアの構成要素として、プロセッサ４０ａと、メモリ４０ｂと、ディスクドライブ４０ｃと、ネットワークインタフェースモジュール４０ｄとを有する。プロセッサ４０ａの一例として、ＣＰＵ、ＤＳＰ、ＦＰＧＡ等が挙げられる。メモリ４０ｂの一例として、ＳＤＲＡＭ等のＲＡＭ、ＲＯＭ、フラッシュメモリ等が挙げられる。
【００６４】
通信部４０１は、例えばネットワークインタフェースモジュール４０ｄによって実現される。制御部４０２、識別コード判断部４０３、Ｇ１レース選択部４０４及び照合部４０５は、例えばプロセッサ４０ａによって実現される。記憶部４０６は、例えばメモリ４０ｂまたはディスクドライブ４０ｃによって実現される。
【００６５】
また、ホストコンピュータ４０の上記説明における各処理は、各処理に対応するプログラムをプロセッサ４０ａに実行させることによって実現しても良い。例えば、上記説明における各処理に対応するプログラムがメモリ４０ｂまたはディスクドライブ４０ｃに記憶され、プログラムがプロセッサ４０ａによってメモリ４０ｂまたはディスクドライブ４０ｃから読み出されて実行されても良い。
【符号の説明】
【００６６】
５  公営競技投票システム
１０−１，１０−２，１０−３  投票端末
４０  ホストコンピュータ
２０４，４０３  識別コード判断部
２０５  データ生成部
４０４  Ｇ１レース選択部
４０５  照合部
【図１】
2019079179.tif 000003
【図２】
2019079179.tif 000004
【図３】
2019079179.tif 000005
【図４】
2019079179.tif 000006
【図５】
2019079179.tif 000007
【図６】
2019079179.tif 000008
【図７】
2019079179.tif 000009
【図８】
2019079179.tif 000010
【図９】
2019079179.tif 000011
【図１０】
2019079179.tif 000012
【図１１】
2019079179.tif 000013
【図１２】
2019079179.tif 000014
【図１３】
2019079179.tif 000015
【図１４】
2019079179.tif 000016
【図１５】
2019079179.tif 000017
【図１６】
2019079179.tif 000018